(57)【要約】  本発明の一実施形態によるパターンガラスは、支持体に結合されるベース板部と、上記ベース板部に備えられ、光源からの放出光が形成する光経路において進入方向と離脱方向がなす角度が鈍角の範囲を形成して透過する透過領域、及び観察者に伝達される視線光の光経路において進入方向と離脱方向がなす角度が鋭角の範囲を形成して上記透過領域よりも反射率が大きく形成される反射領域を含むように備えられるパターン部と、を含むことができる。  また、本発明の他の実施形態による太陽光発電モジュールは、上記パターンガラスと、上記ベース板部が結合される上記支持体ソーラーセルと、を含むことができる。
2020531896.tif 000002
【特許請求の範囲】
【請求項１】
支持体に結合されるベース板部と、
前記ベース板部に備えられ、光源からの放出光が形成する光経路において進入方向と離脱方向がなす角度が鈍角の範囲を形成して透過する透過領域、及び観察者に伝達される視線光の光経路において進入方向と離脱方向がなす角度が鋭角の範囲を形成し、前記透過領域よりも反射率が大きく形成される反射領域を含むように備えられるパターン部と、
を含む、パターンガラス。
【請求項２】
前記パターン部は、少なくとも一面が曲面を含むプリズムパターンで形成される、請求項１に記載のパターンガラス。
【請求項３】
前記パターン部は、
伸縮性素材で形成され、プリズムパターンを形成する外面膜と、
前記外面膜及び前記ベース板部で囲まれた領域に備えられ、前記外面膜との間に充填流体が備えられる微細管と、
を含む、請求項２に記載のパターンガラス。
【請求項４】
前記微細管は、内部に前記充填流体と同一の性質を有する流入流体が流動するように備えられ、前記外面膜の曲面状を変形するように前記流入流体の供給圧が調整されて供給される、請求項３に記載のパターンガラス。
【請求項５】
前記微細管は、前記外面膜及び前記ベース板部で囲まれた領域に内接して複数個が備えられる、請求項３に記載のパターンガラス。
【請求項６】
前記パターン部は、
固定形状のプリズムパターンを形成する外面膜と、
前記外面膜及び前記ベース板部で囲まれた領域に備えられ、前記外面膜との間に充填流体が備えられる微細管と、
を含み、
前記微細管は、
内部に流動する流入流体の屈折率を変更して供給し、前記透過領域及び前記反射領域の範囲を調整する、請求項１に記載のパターンガラス。
【請求項７】
前記パターン部は、非対称のプリズムパターンで備えられる、請求項２に記載のパターンガラス。
【請求項８】
前記パターン部は、
前記ベース板部に結合され、前記放出光が流入する連結面部と、
前記連結面部に連結され、プリズムパターンの前記反射領域を形成し、凸曲面状に備えられる短辺面部と、
前記連結面部及び前記短辺面部に連結され、プリズムパターンの前記透過領域を形成し、凹状に備えられる長辺面部と、
を含む、請求項７に記載のパターンガラス。
【請求項９】
前記長辺面部は、凹曲面状に備えられる、請求項８に記載のパターンガラス。
【請求項１０】
前記パターン部は、下記数値値のベジェ（ｂｅｚｉｅｒ）曲線でプリズムパターンの形状を形成する、請求項８に記載のパターンガラス。
０．０４≦Ａ１≦０．１、０．０２≦Ｂ１≦０．０３
０＜Ｈ１＜Ｈ３、０＜Ｈ２＜Ｈ３、０．０２≦Ｈ３≦０．０４
０＜Ａ２＜Ａ１、０＜Ｂ２＜Ｂ１
０＜ＷＡ≦１、０＜ＷＢ≦１
ここで、Ｈ１とは、前記長辺面部の形状を形成する第１コントロールポイントＣ１と前記連結面部との垂直距離Ｈ１であり、Ｈ２とは、前記短辺面部の形状を形成する第２コントロールポイントＣ２と前記連結面部との垂直距離Ｈ２であり、Ｈ３とは、前記長辺面部と前記短辺面部が接する第１頂点ＰＨと前記連結面部の垂直距離Ｈ３である。
また、Ａ１とは、前記第１頂点ＰＨと連結された垂直線が前記連結面部と交差する原点Ｏと、前記長辺面部と前記連結面部が接する第２頂点ＰＡとの間の距離Ａ１であり、Ａ２とは、前記原点Ｏと、前記第１コントロールポイントＣ１と連結された垂直線が前記連結面部と交差する点Ｃ１Ａとの間の距離Ａ２である。
尚、Ｂ１とは、前記原点Ｏと、前記短辺面部と前記連結面部が接する第３頂点ＰＢとの間の距離Ｂ１であり、Ｂ２とは、前記原点Ｏと、前記第２コントロールポイントＣ２と連結された垂直線が前記連結面部と交差する点Ｃ２Ｂとの間の距離Ｂ２である。
そして、ＷＡとは、前記第１頂点ＰＨと第２頂点ＰＡを連結する直線が前記第１コントロールポイントＣ１に引かれる割合ＷＡであり、ＷＢとは、前記第１頂点ＰＨと第３頂点ＰＢを連結する直線が前記第２コントロールポイントＣ２に引かれる割合ＷＢである。
さらに、前記Ｈ１、Ｈ２、Ｈ３、Ａ１、Ａ２、Ｂ１、Ｂ２は、それぞれの比較割合だけを含む距離の無次元数値であり、前記ＷＡ、ＷＢは、引かれる割合の無次元数値である。
【請求項１１】
前記パターン部は、下記数値値のベジェ（ｂｅｚｉｅｒ）曲線でプリズムパターンの形状を形成する、請求項８に記載のパターンガラス。
０．１≦Ａ１≦０．２５、０．０３≦Ｂ１≦０．０５
Ｈ１＝Ｈ３、０＜Ｈ２≦Ｈ３、０．０３≦Ｈ３≦０．１
０．０２＜Ａ２≦０．０５、０＜Ｂ２≦Ｂ１
ＷＡ＝１、０＜ＷＢ≦１
ここで、Ｈ１とは、前記長辺面部の形状を形成する第１コントロールポイントＣ１と前記連結面部との垂直距離Ｈ１であり、Ｈ２とは、前記短辺面部の形状を形成する第２コントロールポイントＣ２と前記連結面部との垂直距離Ｈ２であり、Ｈ３とは、前記長辺面部と前記短辺面部が接する第１頂点ＰＨと前記連結面部の垂直距離Ｈ３である。
また、Ａ１とは、前記第１頂点ＰＨと連結された垂直線が前記連結面部と交差する原点Ｏと、前記長辺面部と前記連結面部が接する第２頂点ＰＡとの間の距離Ａ１であり、Ａ２とは、前記原点Ｏと、前記第１コントロールポイントＣ１と連結された垂直線が前記連結面部と交差する点Ｃ１Ａとの間の距離Ａ２である。
尚、Ｂ１とは、前記原点Ｏと、前記短辺面部と前記連結面部が接する第３頂点ＰＢとの間の距離Ｂ１であり、Ｂ２とは、前記原点Ｏと、前記第２コントロールポイントＣ２と連結された垂直線が前記連結面部と交差する点Ｃ２Ｂとの間の距離Ｂ２である。
そして、ＷＡとは、前記第１頂点ＰＨと第２頂点ＰＡを連結する直線が前記第１コントロールポイントＣ１に引かれる割合ＷＡであり、ＷＢとは、前記第１頂点ＰＨと第３頂点ＰＢを連結する直線が前記第２コントロールポイントＣ２に引かれる割合ＷＢである。
さらに、前記Ｈ１、Ｈ２、Ｈ３、Ａ１、Ａ２、Ｂ１、Ｂ２は、それぞれの比較割合だけを含む距離の無次元数値であり、前記ＷＡ、ＷＢは、引かれる割合の無次元数値である。
【請求項１２】
前記パターン部は、
前記ベース板部に結合され、前記放出光が流入する連結面部と、
前記連結面部に連結され、プリズムパターンの前記反射領域を形成し、凸状に備えられる短辺面部と、
前記連結面部及び前記短辺面部に連結され、プリズムパターンの前記透過領域を形成し、凹状に備えられる長辺面部と、
を含み、
前記長辺面部は、
前記連結面部に連結される直線状に備えられる第１長辺面と、
前記第１長辺面と前記短辺面部との間を連結する直線状に備えられ、前記第１長辺面となす外角が鈍角を形成する第２長辺面と、
を含む、請求項７に記載のパターンガラス。
【請求項１３】
前記短辺面部は全体が曲面状に備えられる、請求項１２に記載のパターンガラス。
【請求項１４】
前記短辺面部は、
前記第２長辺面と連結され、前記連結面部に水平な直線状に備えられる第１短辺面と、
前記第１短辺面と連結され、凸曲面状に備えられる第２短辺面と、
前記第２短辺面と前記連結面部との間を連結する直線状に備えられ、前記連結面部となす外角が鈍角または直角を形成する第３短辺面と、
を含む、請求項１２に記載のパターンガラス。
【請求項１５】
前記パターン部に備えられ、光の透過波長を調整するように提供されるカラー部を含む、請求項１に記載のパターンガラス。
【請求項１６】
前記カラー部は、前記ベース板部と前記パターン部の間に備えられる、請求項１５に記載のパターンガラス。
【請求項１７】
前記カラー部は、前記パターン部において反射領域を形成する前記パターン部のテーパー付けられた一面上のみに備えられる、請求項１５に記載のパターンガラス。
【請求項１８】
請求項１から請求項１７のいずれか一項に記載のパターンガラスと、
前記ベース板部が結合される前記支持体であるソーラーセルと、
を含む、太陽光発電モジュール。
【請求項１９】
前記パターンガラスは、前記ソーラーセルが備えられる建物の側壁面に水平に備えられる、請求項１８に記載の太陽光発電モジュール。
【発明の詳細な説明】
【技術分野】
【０００１】
本発明は、パターンガラス及びこれを含む太陽光発電モジュールに関する。
【背景技術】
【０００２】
太陽光モジュールを建築物の外壁に適用する際に透明保護ガラスを用いると、外壁の上方から照り返される太陽光線の入射効率を最大化することができるものの、外壁の下方から観察する観察者にとっては審美的な問題がある。
【０００３】
これに対する解決策として、透明保護ガラスに色をつける方法を考えてみることができる。この場合、色による隠蔽性を高め、審美的な問題を改善することができるが、太陽光線の入射効率（保護ガラスの透過率）は低下するという他の問題が発生する。
【０００４】
一方、かかる太陽光線に対する透過率の低下を防ぐとともに、観察者に対する隠蔽性を増加させるためには、光遮蔽隔壁構造のフィルムを透明保護ガラスに付着させることにより、正面方向の透過率を確保すると同時に、側面方向の隠蔽性を高めることで、審美的な問題を解決する方法を考えることができる。
【０００５】
しかし、この方法にも、正面入射角ではなく、側面方向の入射角に対する太陽光線の透過率の低下を避けることができないという限界がある。
【０００６】
すなわち、太陽光線の経路を変更せずに、進入する太陽光線の一部を透過させ、一部は遮蔽させるため、太陽光線の遮蔽が不要な領域と必要な領域を区別することなく同一の透過率が適用されるという限界がある。
【０００７】
その結果、太陽光線の収集が必要な領域では、不要な遮蔽率の増加により透過率が低下し、観察者に伝達される視線光は不必要に透過率が増加し、遮蔽率が低下する限界が発生するようになる。
【０００８】
そこで、上述した問題を解決するためのパターンガラス及びこれを含む太陽光発電モジュールに対する研究が必要になった。
【発明の概要】
【発明が解決しようとする課題】
【０００９】
本発明の目的は、光源から放出される放射光の収集が必要な領域では、不要な遮蔽率の増加を防止して透過率を増加させ、観察者に伝達される視線光の不要な透過率の増加を防止して遮蔽率を増加させるパターンガラス及びこれを含む太陽光発電モジュールを提供することである。
【課題を解決するための手段】
【００１０】
本発明の一実施形態によるパターンガラスは、支持体に結合されるベース板部と、上記ベース板部に備えられ、光源からの放出光が形成する光経路において進入方向と離脱方向がなす角度が鈍角の範囲を形成して透過する透過領域、及び観察者に伝達される視線光の光経路において進入方向と離脱方向がなす角度が鋭角の範囲を形成して上記透過領域よりも反射率が大きく形成される反射領域を含むように備えられるパターン部と、を含むことができる。
【００１１】
ここで、本発明の一実施形態によるパターンガラスの上記パターン部は、少なくとも一面が曲面を含むプリズムパターンで形成されることを特徴とすることができる。
【００１２】
具体的には、本発明の一実施形態によるパターンガラスにおいて、上記パターン部は、伸縮性素材で形成され、プリズムパターンを形成する外面膜と、上記外面膜及び上記ベース板部で囲まれた領域に備えられ、上記外面膜との間に充填流体が備えられる微細管と、を含むことができる。
【００１３】
そして、本発明の一実施形態によるパターンガラスの上記微細管は、内部に上記充填流体と同一の性質を有する流入流体が流動するように備えられ、上記流入流体は、上記外面膜の曲面状を変形するように供給圧が調整されて供給されることを特徴とすることができる。
【００１４】
また、本発明の一実施形態によるパターンガラスの上記微細管は、上記外面膜及び上記ベース板部で囲まれた領域に内接して複数個が備えられることを特徴とすることができる。
【００１５】
また、本発明の一実施形態によるパターンガラスにおいて、上記パターン部は、固定形状のプリズムパターンを形成する外面膜と、上記外面膜及び上記ベース板部で囲まれた領域に備えられ、上記外面膜との間に充填流体が備えられる微細管と、を含み、上記微細管は、内部に流動する流入流体の屈折率を変更して供給することにより、上記透過領域及び上記反射領域の範囲を調整することを特徴とすることができる。
【００１６】
また、本発明の一実施形態によるパターンガラスにおいて、上記パターン部は、非対称のプリズムパターンで備えられることを特徴とすることができる。
【００１７】
具体的には、本発明の一実施形態によるパターンガラスの上記パターン部は、上記ベース板部に結合され、上記放出光が流入する連結面部と、上記連結面部に連結され、プリズムパターンの上記反射領域を形成し、凸曲面状に備えられる短辺面部と、上記連結面部及び上記短辺面部に連結され、プリズムパターンの上記透過領域を形成し、凹曲面状に備えられる長辺面部と、を含むことができる。
【００１８】
ここで、本発明の一実施形態によるパターンガラスの上記長辺面部は、凹曲面状に備えられることを特徴とすることができる。
【００１９】
そして、本発明の一実施形態によるパターンガラスの上記パターン部は、下記数値値のベジェ（ｂｅｚｉｅｒ）曲線でプリズムパターンの形状を形成することを特徴とすることができる。
０．０４≦Ａ１≦０．１、０．０２≦Ｂ１≦０．０３
０＜Ｈ１＜Ｈ３、０＜Ｈ２＜Ｈ３、０．０２≦Ｈ３≦０．０４
０＜Ａ２＜Ａ１、０＜Ｂ２＜Ｂ１
０＜ＷＡ≦１、０＜ＷＢ≦１
【００２０】
または、本発明の一実施形態によるパターンガラスの上記パターン部は、下記数値値のベジェ（ｂｅｚｉｅｒ）曲線でプリズムパターンの形状を形成することを特徴とすることができる。
０．１≦Ａ１≦０．２５、０．０３≦Ｂ１≦０．０５
Ｈ１＝Ｈ３、０＜Ｈ２≦Ｈ３、０．０３≦Ｈ３≦０．１
０．０２＜Ａ２≦０．０５、０＜Ｂ２≦Ｂ１
ＷＡ＝１、０＜ＷＢ≦１
【００２１】
ここで、Ｈ１とは、上記長辺面部の形状を形成する第１コントロールポイントＣ１と上記連結面部との垂直距離Ｈ１であり、Ｈ２とは、上記短辺面部の形状を形成する第２コントロールポイントＣ２と上記連結面部との垂直距離Ｈ２であり、Ｈ３とは、上記長辺面部と上記短辺面部が接する第１頂点ＰＨと上記連結面部の垂直距離Ｈ３である。
また、Ａ１とは、上記第１頂点ＰＨと連結された垂直線が上記連結面部と交差する原点Ｏと、上記長辺面部と上記連結面部が接する第２頂点ＰＡとの間の距離Ａ１であり、Ａ２とは、上記原点Ｏと、上記第１コントロールポイントＣ１と連結された垂直線が上記連結面部と交差する点Ｃ１Ａとの間の距離Ａ２である。
尚、Ｂ１とは、上記原点Ｏと、上記短辺面部と上記連結面部が接する第３頂点ＰＢとの間の距離Ｂ１であり、Ｂ２とは、上記原点Ｏと、上記第２コントロールポイントＣ２と連結された垂直線が上記連結面部と交差する点Ｃ２Ｂとの間の距離Ｂ２である。
そして、ＷＡとは、上記第１頂点ＰＨと第２頂点ＰＡを連結する直線が上記第１コントロールポイントＣ１に引かれる割合ＷＡであり、ＷＢとは、上記第１頂点ＰＨと第３頂点ＰＢを連結する直線が上記第２コントロールポイントＣ２に引かれる割合ＷＢである。
さらに、上記Ｈ１、Ｈ２、Ｈ３、Ａ１、Ａ２、Ｂ１、Ｂ２は、それぞれの比較割合だけを含む距離の無次元数値であり、上記ＷＡ、ＷＢは、引かれる割合の無次元数値である。
【００２２】
また、本発明の一実施形態によるパターンガラスの上記パターン部は、上記ベース板部に結合され、上記放出光が流入する連結面部と、上記連結面部に連結され、プリズムパターンの上記反射領域を形成し、凸状に備えられる短辺面部と、上記連結面部及び上記短辺面部に連結され、プリズムパターンの上記透過領域を形成し、凹状に備えられる長辺面部と、を含み、上記長辺面部は、上記連結面部に連結される直線状に備えられる第１長辺面と、上記第１長辺面と上記短辺面部との間を連結する直線状に備えられ、上記第１長辺面となす外角が鈍角を形成する第２長辺面と、を含むことができる。
【００２３】
ここで、本発明の一実施形態によるパターンガラスの上記短辺面部は、全体が曲面状に備えられることを特徴とすることができる。
【００２４】
または、本発明の一実施形態によるパターンガラスの上記短辺面部は、上記第２長辺面と連結され、上記連結面部に水平な直線状に備えられる第１短辺面と、上記第１短辺面と連結され、凸曲面状に備えられる第２短辺面と、上記第２短辺面と上記連結面部との間を連結する直線状に備えられ、上記連結面部となす外角が鈍角または直角を形成する第３短辺面と、を含むことができる。
【００２５】
さらに、本発明の一実施形態によるパターンガラスは、上記パターン部に備えられ、光の透過波長を調整するように提供されるカラー部を含むことができる。
【００２６】
ここで、本発明の一実施形態によるパターンガラスにおいて、上記カラー部は、上記ベース板部と上記パターン部の間に備えられることを特徴とすることができる。
【００２７】
また、本発明の一実施形態によるパターンガラスにおいて、上記カラー部は、上記パターン部で反射領域を形成する上記パターン部のテーパー付けられた一面上にのみ備えられることを特徴とすることができる。
【００２８】
本発明の他の実施形態による太陽光発電モジュールは、上記パターンガラスと、上記ベース板部が結合される上記支持体であるソーラーセルと、を含むことができる。
【００２９】
そして、本発明の他の実施形態による太陽光発電モジュールの上記パターンガラスは、上記ソーラーセルが備えられる建物の側壁面に水平に備えられることを特徴とすることができる。
【発明の効果】
【００３０】
本発明のパターンガラス及びこれを含む太陽光発電モジュールは、光源から放出される放射光の収集が必要な領域では、不要な遮蔽率の増加を防止して透過率の低下の問題を解決し、観察者に伝達される視線光の不要な透過率の増加を防止して遮蔽率を増加させることができるという効果がある。
【００３１】
一側面として、上記視線光によって観察される色の均一度を高めることができる利点を有することができる。
【００３２】
他の側面として、観察者の視線又は光源からの光放出の角度変更に対応してパターン部の形状を変更することができる利点もある。
【図面の簡単な説明】
【００３３】
【図１】（ａ）本発明のパターンガラス及びこれを含む太陽光発電モジュールを示す断面図である。（ｂ）本発明のパターンガラス及びこれを含む太陽光発電モジュールを示す断面図である。
【図２】本発明のパターンガラスを示す断面図である。
【図３】（ａ）本発明のパターンガラスにおいてパターン部が微細管を含む実施例を示す断面図である。（ｂ）本発明のパターンガラスにおいてパターン部が微細管を含む実施例を示す断面図である。
【図４】（ａ）本発明のパターンガラスにおいてパターン部が微細管を含む実施例を示す断面図である。（ｂ）本発明のパターンガラスにおいてパターン部が微細管を含む実施例を示す断面図である。
【図５】本発明のパターンガラスがカラー部を含む実施例を示す断面図である。
【図６】本発明のパターンガラスがカラー部を含む実施例を示す断面図である。
【図７】本発明のパターンガラスにおける光源からの放出光と観察者に伝達される視線光の経路を示す断面図である。
【図８】本発明のパターンガラスにおいてパターン部を、ベジェ曲線を用いて示す実施例の断面図である。
【図９】（ａ）本発明のパターンガラスによって透過領域と反射領域に区分されたシミュレーション結果である。（ｂ）本発明のパターンガラスによって透過領域と反射領域に区分されたシミュレーション結果である。
【図１０】本発明のパターンガラスにおいて、長辺面部が直線状に形成され、短辺面部全体が曲面状である実施例を示す断面図である。
【図１１】本発明のパターンガラスにおいて、長辺面部が直線状に形成され、短辺面部が一部の直線状を含む実施例を示す断面図である。
【図１２】（ａ）図１１の実施例による光源からの放出光または観察者に伝達される視線光の経路を示す断面図である。（ｂ）図１１の実施例による光源からの放出光または観察者に伝達される視線光の経路を示す断面図である。（ｃ）図１１の実施例による光源からの放出光または観察者に伝達される視線光の経路を示す断面図である。（ｄ）図１１の実施例による光源からの放出光または観察者に伝達される視線光の経路を示す断面図である。
【図１３】本発明のパターンガラスにおいて、パターン部を、ベジェ曲線を用いて示す他の実施例の断面図である。
【発明を実施するための形態】
【００３４】
以下、添付の図面を参照して、本発明の好ましい実施形態を説明する。しかし、本発明の実施形態は、いくつかの他の形態に変形することができ、本発明の範囲が以下に説明する実施形態に限定されるものではない。また、本発明の実施形態は、当該技術分野における平均的な知識を有する者に本発明をさらに完全に説明するために提供されるものである。図面における要素の形状及び大きさなどは、より明確な説明のために誇張されることがある。
【００３５】
また、本明細書において、単数の表現は、文脈上明らかに異なる意味ではない限り、複数の表現を含む。尚、明細書全体にわたって同一の参照符号または同様の方法で付与された参照符号は、同一の構成要素または対応する構成要素を指すものとする。
【００３６】
本発明は、パターンガラス１００及びこれを含む太陽光発電モジュールに関し、光源Ｓから放出される放射光の収集が必要な領域では、不要な遮蔽率の増加を防止して透過率の低下の問題を解決し、観察者Ｅに伝達される視線光の不要な透過率の増加を防止して遮蔽率を増加させることができる。
【００３７】
図１は本発明のパターンガラス１００及びこれを含む太陽光発電モジュールを示す断面図であって、図１を参照すると、本発明の太陽光発電モジュールは、パターンガラス１００と、上記パターンガラス１００のベース板部１１０が結合される支持体であるソーラーセル２００と、を含むことができる。
【００３８】
特に、上記パターンガラス１００は、上述のとおり、光源Ｓから放出される放射光の収集が必要な領域では透過率を増加させ、観察者Ｅに伝達される視線光に対しては遮蔽率を増加させることができるように備えられる。これについての詳細な説明は、図２〜図９を参照して後述する。
【００３９】
そして、上記ソーラーセル２００は、光エネルギーを電気エネルギーに変換する構成であって、上記パターンガラス１００を透過した光源Ｓから放出された放出光に対して電気エネルギーを生産するようになる。
【００４０】
また、上記ソーラーセル２００が光エネルギーを電気エネルギーに変換する具体的な構成は、一般の太陽電池または光電池と同一であるため、具体的な説明は省略する。
【００４１】
ここで、上記光源Ｓは太陽であってもよく、上記ソーラーセル２００は、かかる太陽の太陽エネルギーを用いて電気エネルギーに変換するようになる。
【００４２】
上記パターンガラス１００が上記ソーラーセル２００と結合する構成は、上記ソーラーセル２００が備えられる具体的な構造物に応じて変更されることができる。
【００４３】
一例として、本発明の太陽光発電モジュールの上記パターンガラス１００は、上記ソーラーセル２００が備えられる建物の側壁面に水平に備えられることを特徴とすることができる。
【００４４】
換言すると、上記ソーラーセル２００が建物の側壁面に結合される場合には、上記パターンガラス１００も上記建物の側壁面に垂直に結合されることができる（図１（ａ）参照）。
【００４５】
その他にも、上記ソーラーセル２００が建物の傾斜した屋根上に結合される場合には、上記パターンガラス１００も上記屋根上に傾斜するように結合される（図１（ｂ）参照）。また、上記建物の屋根が水平な場合には、上記パターンガラス１００が建物の屋根に水平に結合される（図示せず）。
【００４６】
また、かかる結合角度の変更に応じて、上記パターンガラス１００が形成する透過領域の角度範囲ａ１及び反射領域の角度範囲ａ２は変更されることができる。但し、このとき、基準線ＣＬを基準に、上記領域を区別することができる。
【００４７】
図２は本発明のパターンガラス１００を示す断面図であり、図７は本発明のパターンガラス１００において、光源Ｓからの放出光及び観察者Ｅに伝達される視線光の経路（観察者の立場からは、視線の方向が視線光とは逆になるため、矢印は逆に示す）を示す断面図であり、図９は本発明のパターンガラス１００によって透過領域と反射領域に区分されたシミュレーション結果である。
【００４８】
上記図面を参照すると、本発明の一実施形態によるパターンガラス１００は、支持体に結合されるベース板部１１０と、上記ベース板部１１０に備えられ、光源Ｓからの放出光が形成する光経路において進入方向と離脱方向がなす角度が鈍角の範囲を形成して透過する透過領域、及び観察者Ｅに伝達される視線光の光経路において進入方向と離脱方向がなす角度が鋭角の範囲を形成して上記透過領域よりも反射率が大きく形成される反射領域を含むように備えられるパターン部１２０と、を含むことができる。ここで、上記ベース板部１１０及びパターン部１２０は、同一の屈折率で形成される透明な材質の素材で形成されることができる。
【００４９】
このように、上記パターンガラス１００が上記ベース板部１１０とパターン部１２０とを含むことにより、光源Ｓから放出される放射光の収集が必要な領域では透過率を増加させ、観察者Ｅに伝達される視線光に対しては遮蔽率を増加させることができるようになる。
【００５０】
換言すると、上記パターン部１２０を、上記光源Ｓから放出される放出光に対する経路を最初の進入方向と最後の離脱方向がなす角度が鈍角の範囲となるように光経路を形成するように備えることにより、透過率が上記反射領域よりも大きい透過領域を形成するようになる。
【００５１】
これは、図２において基準線ＣＬの上部からの放出光の光経路ＳＲより確認できる範囲である。また、図７において基準線ＣＬの上部からの放出光の光経路を２つに分け、それぞれの進入角度を、ベース板部１１０を基準に異なるように設定しても、放出光の光経路ＳＲ１、ＳＲ２が離脱方向となす角度が鈍角であることが分かる。
【００５２】
一方、上記パターン部１２０を、観察者Ｅに伝達される視線光に対する経路を最初の進入方向と最後の離脱方向がなす角度が鋭角の範囲となるように光経路を形成するように備えることにより、反射率が上記透過領域よりも大きい反射領域を形成するようになる。
【００５３】
ここで、視線光の経路は、観察者Ｅの視線に沿った経路として示すこともできることから、図２、図６、及び図７では、視線光の経路とは逆の矢印を示して理解の一助とした。
【００５４】
かかる観察者Ｅの視線に沿った経路を参照すると、図２において基準線ＣＬの下部の視線の経路ＥＲから確認できる領域が反射領域である。また、図７において、基準線ＣＬの下部の視線の経路を２つに分けて、それぞれの進入角度を、ベース板部１１０を基準に異なるように設定しても、視線の経路ＥＲ１、ＥＲ２の進入方向と離脱方向がなす角度が鋭角であることが分かる。
【００５５】
かかる反射領域及び透過領域は図９（ａ）から確認することができる。すなわち、基準線ＣＬを基準に、上部領域は反射光がほとんど観察されない透過領域（青と緑の領域）であり、下部領域は、反射光が比較的多く観察される反射領域（赤と黄の領域）から確認することができる。
【００５６】
さらに、本発明の一実施形態によるパターンガラス１００の上記パターン部１２０は、少なくとも一面が曲面を含むプリズムパターンで形成されることを特徴とする。
【００５７】
これにより、観察者Ｅの眼に流入される視線光が分散するようにすることにより、観察者Ｅの立場からは均一度を高めて観察できるように構成することができる。尚、ソーラーセルなどに伝達される光源Ｓからの放出光を集中させて透過させることにより、エネルギー変換率を向上させることができる。
【００５８】
特に、かかる均一度は、後述するカラー部１３０により、上記パターンガラス１００が含まれる場合でも、カラーの均一度を増加させて観察者Ｅが観察できるようにすることで、より美麗な外観を形成するようにする。
【００５９】
かかる均一度は、図９（ｂ）から確認することができる。すなわち、上記パターン部１２０を曲面に形成することにより、図９（ａ）と比較して図９（ｂ）から、反射して観察される視線光が分散して観察されることを確認することができる。
【００６０】
より具体的には、反射領域の均一度を高めたことを示す図９（ｂ）は、図８に示されたパターン部１２０の形状にベジェ曲線による曲面を適用した結果である。
【００６１】
すなわち、図９（ａ）は図８のベジェ曲線におけるＷＡ、ＷＢの値を「０」に設定することにより、上記パターン部１２０が曲面を含まないように設定した場合のシミュレーション結果であり、図９（ａ）は図８のベジェ曲線におけるＷＡの値を「１．０」に設定し、ＷＢの値を「０．２」に設定することにより、上記パターン部１２０が曲面を含むように設定した場合のシミュレーション結果である。かかるベジェ曲線による曲面の形成と関連しては図８を参照して後述する。
【００６２】
図３及び図４は本発明のパターンガラス１００において、パターン部１２０が微細管１２２を含む実施例を示す断面図である。
【００６３】
ここで、図３はパターン部１２０の基本形態が対称である場合を示すものであり、図４はパターン部１２０の基本形態が非対称である場合を示すものである。そして、図３（ａ）及び図４（ａ）はパターン部１２０が曲面を含む前の状態を示す図であって、図３（ｂ）及び図４（ｂ）はパターン部１２０が曲面を含んだ状態を示す図である。
【００６４】
また、図８は本発明のパターンガラス１００においてパターン部１２０を、ベジェ曲線を用いて示す実施例の断面図であり、図１３は本発明のパターンガラスにおいてパターン部を、ベジェ曲線を用いて示す他の実施例の断面図である。
【００６５】
具体的には、上記図面を参照すると、本発明の一実施形態によるパターンガラス１００において、上記パターン部１２０は、伸縮性素材で形成され、プリズムパターンを形成する外面膜１２１と、上記外面膜１２１及び上記ベース板部１１０で囲まれた領域に備えられ、上記外面膜１２１との間に充填流体が備えられる微細管１２２と、を含むことができる。
【００６６】
かかる構成によると、上記パターン部１２０は、形状を変形しながら、上記透過領域及び反射領域を調整するようになる。
【００６７】
すなわち、図３（ａ）に示すように、上記パターン部１２０が、一般の対称形状から図３（ｂ）のような非対称形状に変形されるように備えられるものである。
【００６８】
かかる形状の変形によって基準線ＣＬの上方から進入する光源Ｓの放出光の透過率が増加し、基準線ＣＬの下方から観察する観察者Ｅの眼に伝達される視線光の反射率が増加するように備えられる。
【００６９】
また、かかるパターン部１２０の形状の変形の際に曲面を含むように変形されることにより、観察者Ｅが観察する視線光の均一度も向上させることができることから、さらに優れた観察が可能になる。
【００７０】
ここで、上記パターン部１２０の形状の変形のために、上記微細管１２２に流入される流入流体の供給圧を調整する。
【００７１】
すなわち、本発明の一実施形態によるパターンガラス１００の上記微細管１２２は、内部に上記充填流体と同一の性質を有する流入流体が流動するように備えられ、上記外面膜１２１の曲面状を変形するように、上記流入流体の供給圧が調整されて供給されることを特徴とすることができる。
【００７２】
かかる供給圧を調整して上記外面膜１２１と微細管１２２との間の充填流体の圧力よりも高い陽圧で流入流体を供給すると、上記微細管１２２が備えられたパターン部１２０の一部は膨らんで形状が変形され、逆に上記外面膜１２１と微細管１２２との間の充填流体の圧力よりも低い陰圧で流入流体を供給すると、上記微細管１２２が備えられたパターン部１２０の一部は収縮して形状が変形されるようになる。
【００７３】
この際、上記外面膜１２１と微細管１２２との間に備えられる充填流体、上記微細管１２２に供給される流入流体、及び上記外面膜１２１及び上記微細管１２２を形成する素材は、同一の屈折率を有する同一の性質の素材で提供することが反射領域及び透過領域の調整制御において簡単且つ明確であるため好ましい。
【００７４】
さらに、上記外面膜１２１及び微細管１２２を形成する素材は、伸縮性素材で形成され、上記パターン部１２０の形状変形が可能となるように備えられる。一例として、上記外面膜１２１及び微細管１２２には、同一の材質の高分子合成樹脂などが適用されることができる。
【００７５】
そして、上記微細管１２２は、上記パターン部１２０の形状制御をさらに微細に行うために複数個が備えられることができる。
【００７６】
すなわち、本発明の一実施形態によるパターンガラス１００の上記微細管１２２は、上記外面膜１２１及び上記ベース板部１１０で囲まれた領域に内接して複数個が備えられることを特徴とすることができる。
【００７７】
かかる複数個の微細管１２２が備えられることにより、上記外面膜１２１と上記ベース板部１１０との間に備えられる微細管１２２の位置に応じた収縮及び膨張によってパターン部１２０の形状を調整することができるようになり、より精密な形状制御が可能になる。
【００７８】
これにより、本発明のパターンガラス１００は、観察者Ｅの視線または光源Ｓからの光放出の角度の変更に対応して、パターン部１２０の形状を変更することができるようになる。
【００７９】
また、本発明の一実施形態によるパターンガラス１００において、上記パターン部１２０は、固定形状のプリズムパターンを形成する外面膜１２１と、上記外面膜１２１及び上記ベース板部１１０で囲まれた領域に備えられ、上記外面膜１２１との間に充填流体が備えられる微細管１２２と、を含み、上記微細管１２２は、内部に流動する流入流体の屈折率を変更して供給し、上記透過領域及び上記反射領域の範囲を調整することを特徴とすることもできる。
【００８０】
すなわち、上記パターン部１２０は、上記外面膜１２１の形状は変形せず、単に微細管１２２の内部に供給される流入流体の屈折率だけが異なるように備えることができる。
【００８１】
換言すると、上記パターン部１２０が形成しようとする屈折率の分布に応じて、上記微細管１２２に流入される流入流体としては屈折率が異なる流体が供給される。
【００８２】
上記微細管１２２は、上記外面膜１２１と上記ベース板部１１０との間に複数個が備えられ、上記微細管１２２が備えられる領域毎に互いに異なる屈折率の流入流体を供給することにより、屈折率の分布が互いに異なるように設定することもできる。
【００８３】
また、本発明の一実施形態によるパターンガラス１００において、上記パターン部１２０は、非対称のプリズムパターンで備えられることを特徴とすることができる。
【００８４】
かかる上記パターン部１２０を非対称形状に形成することにより、基準線ＣＬの上方から進入する光源Ｓの放出光の透過率が増加し、基準線ＣＬの下方から観察する観察者Ｅの眼に伝達される視線光の反射率は増加するように備えられる。
【００８５】
さらに、上記パターン部１２０は、非対称のプリズムパターンを形成しながらも、曲面を含むように備えられることにより、観察者Ｅに伝達される視線光を分散させて均一度を増加させることができ、透過された光源Ｓからの放出光は集中的にソーラーセル２００などで電気エネルギーを生産する効率を増加させることができる。
【００８６】
先ず、上記視線光を分散させて均一度を増加させるために、上記パターン部１２０は、連結面部１２３と、短辺面部１２５と、を含むことができる。
【００８７】
すなわち、本発明の一実施形態によるパターンガラス１００の上記パターン部１２０は、上記ベース板部１１０に結合され、上記放出光が流入する連結面部１２３と、上記連結面部１２３に連結され、プリズムパターンの上記反射領域を形成し、凸曲面状に備えられる短辺面部１２５と、を含むことができる。
【００８８】
ここで、視線光（観察者Ｅの視線の経路とは方向だけが逆であり、形成経路は同一である）が進入する方向は連結面部１２３であり、かかる連結面部１２３を通過した視線光は、反射領域の短辺面部１２５から反射される。
【００８９】
これにより、上記視線光が接する方向において、上記短辺面部１２５の面は凹状（すなわち、凸状とは反対の役割を果たすようになる）となるため、上記視線光は分散して観察者Ｅに伝達される。したがって、観察者Ｅが観察する光は、均一度が改善された形で伝達されるようになる。
【００９０】
一方、上記光源Ｓからの放出光を集中させるために、上記パターン部１２０は、連結面部１２３及び短辺面部１２５に加えて、長辺面部１２４をさらに含むことができる。
【００９１】
換言すると、本発明の一実施形態によるパターンガラス１００の上記パターン部１２０は、上記連結面部１２３及び上記短辺面部１２５に連結され、プリズムパターンの上記透過領域を形成し、凹曲面状に備えられる長辺面部１２４を含むことができる。
【００９２】
ここで、光源Ｓからの放出光が進入する方向は連結面部１２３であり、かかる連結面部１２３を通過した放出光は、透過領域の長辺面部１２４を通過するようになる。
【００９３】
これにより、上記放出光が接する方向において、上記長辺面部１２４の面は凸状（すなわち、凹状とは逆の役割を果たすようになる）となるため、上記放出光は集中して上記パターン部１２０を通過するようになる。したがって、上記ソーラーセル２００などに伝達される放出光が集中して、上記ソーラーセル２００の電気エネルギー生産効率を高めるようになる。
【００９４】
かかる長辺面部１２４及び短辺面部１２５の曲面状をさらに最適化して提供するために、上記パターン部１２０はベジェ曲線の形で形成されることができる。
【００９５】
すなわち、本発明の一実施形態によるパターンガラス１００の上記パターン部１２０は、下記数値値のベジェ（ｂｅｚｉｅｒ）曲線でプリズムパターンの形状を形成することを特徴とすることができる（図８参照）。
０．０４≦Ａ１≦０．１、０．０２≦Ｂ１≦０．０３
０＜Ｈ１＜Ｈ３、０＜Ｈ２＜Ｈ３、０．０２≦Ｈ３≦０．０４
０＜Ａ２＜Ａ１、０＜Ｂ２＜Ｂ１
０＜ＷＡ≦１、０＜ＷＢ≦１
【００９６】
かかる数値値は、具体的な数値範囲で以下のように提示されることができる。
Ｈ１＝０．０２４〜０．２６、Ｈ２＝０．０４７〜０．０４９、Ｈ３＝０．０３２〜０．０３４
Ａ１＝０．０７４〜０．０７６、Ａ２＝０．０１４〜０．０１６
Ｂ１＝０．０２４〜０．０２６、Ｂ２＝０．００２４〜０．００２６
ＷＡ＝０．５〜１．０、ＷＢ＝０．２
【００９７】
好ましくは、以下のような数値範囲でベジェ曲線を形成することができる。
Ｈ１＝０．０２５、Ｈ２＝０．０４８、Ｈ３＝０．０３３
Ａ１＝０．０７５、Ａ２＝０．０１５
Ｂ１＝０．０２５、Ｂ２＝０．００２５
ＷＡ＝１．０、ＷＢ＝０．２
【００９８】
ここで、Ｈ１とは、上記長辺面部１２４の形状を形成する第１コントロールポイントＣ１と上記連結面部１２３との垂直距離Ｈ１であり、Ｈ２とは、上記短辺面部１２５の形状を形成する第２コントロールポイントＣ２と上記連結面部１２３との垂直距離Ｈ２であり、Ｈ３とは、上記長辺面部１２４と上記短辺面部１２５が接する第１頂点ＰＨと上記連結面部１２３の垂直距離Ｈ３である。
また、Ａ１とは、上記第１頂点ＰＨと連結された垂直線が上記連結面部１２３と交差する原点Ｏと、上記長辺面部１２４と上記連結面部１２３が接する第２頂点ＰＡとの間の距離Ａ１であり、Ａ２とは、上記原点Ｏと、上記第１コントロールポイントＣ１と連結された垂直線が上記連結面部と交差する点Ｃ１Ａとの間の距離Ａ２である。
尚、Ｂ１とは、上記原点Ｏと、上記短辺面部１２５と上記連結面部１２３が接する第３頂点ＰＢとの間の距離Ｂ１であり、Ｂ２とは、上記原点Ｏと、上記第２コントロールポイントＣ２と連結された垂直線が上記連結面部１２３と交差する点Ｃ２Ｂとの間の距離Ｂ２である。
そして、ＷＡとは、上記第１頂点ＰＨと第２頂点ＰＡを連結する直線が上記第１コントロールポイントＣ１に引かれる割合ＷＡであり、ＷＢとは、上記第１頂点ＰＨと第３頂点ＰＢを連結する直線が上記第２コントロールポイントＣ２に引かれる割合ＷＢである。
さらに、上記Ｈ１、Ｈ２、Ｈ３、Ａ１、Ａ２、Ｂ１、Ｂ２は、それぞれの比較割合だけを含む距離の無次元数値であり、上記ＷＡ、ＷＢは、引かれる割合の無次元数値である。
【００９９】
または、かかる長辺面部１２４が曲面状を形成しないパターン部１２０の形状を、ベジェ曲線を用いて形成することもできる。
【０１００】
すなわち、本発明の一実施形態によるパターンガラスの上記パターン部１２０は、下記数値値のベジェ（ｂｅｚｉｅｒ）曲線でプリズムパターンの形状を形成することを特徴とすることができる（図１３参照）。
０．１≦Ａ１≦０．２５、０．０３≦Ｂ１≦０．０５
Ｈ１＝Ｈ３、０＜Ｈ２≦Ｈ３、０．０３≦Ｈ３≦０．１
０．０２＜Ａ２≦０．０５、０＜Ｂ２≦Ｂ１
ＷＡ＝１、０＜ＷＢ≦１
【０１０１】
かかる数値は、具体的な数値範囲で以下のように提示されることができる。  Ｈ１＝０．０９２〜０．０９４、Ｈ２＝０．０７９〜０．０８１、Ｈ３＝０．０９２〜０．０９４
Ａ１＝０．１２５〜０．１２７、Ａ２＝０．０４１〜０．０４３
Ｂ１＝０．０３７〜０．０３９、Ｂ２＝０．０３７７〜０．０３７９
ＷＡ＝１．０、ＷＢ＝０．５７
【０１０２】
好ましくは、以下のような数値範囲でベジェ曲線を形成することができる。
Ｈ１＝０．０９３２９１４、Ｈ２＝０．０８、Ｈ３＝０．０９３２９１４
Ａ１＝０．１２６１５、Ａ２＝０．０４２１３４１
Ｂ１＝０．０３７８５、Ｂ２＝０．０３７８５
ＷＡ＝１．０、ＷＢ＝０．５７
【０１０３】
そして、上記長辺面部１２４が直線状に形成される実施例は図１０及び図１１に示し、図１２には図１１による光経路のシミュレーション結果を示した。
【０１０４】
すなわち、図１０は本発明のパターンガラス１００において長辺面部１２４が直線状に形成され、短辺面部１２５全体が曲面状である実施例を示す断面図であり、図１１は本発明のパターンガラス１００において長辺面部１２４が直線状に形成され、短辺面部１２５が一部の直線状を含む実施例を示す断面図であり、図１２は図１１の実施例による光源からの放出光または観察者に伝達される視線光の経路を示す断面図である。
【０１０５】
先ず、図１０を参照した実施例について説明すると、本発明の一実施例によるパターンガラス１００の上記パターン部１２０は、上記ベース板部１１０に結合され、上記放出光が流入する連結面部１２３と、上記連結面部１２３に連結され、プリズムパターンの上記反射領域を形成し、凸状に備えられる短辺面部１２５と、上記連結面部１２３及び上記短辺面部１２５に連結され、プリズムパターンの上記透過領域を形成し、凹状に備えられる長辺面部１２４と、を含み、上記長辺面部１２４は、上記連結面部１２３に連結される直線状に備えられる第１長辺面１２４ａと、上記第１長辺面１２４ａと上記短辺面部１２５の間を連結する直線状に備えられ、上記第１長辺面１２４ａとなす外角が鈍角を形成する第２長辺面１２４ｂと、を含むことができる。
【０１０６】
換言すると、上記長辺面部１２４は、直線状に形成しながらも、上記短辺面部１２５を曲線状に形成した実施例を提示したものである。
【０１０７】
このように、上記長辺面部１２４を直線状に形成すると、透過領域及び反射領域を含むように上記パターン部１２０を形成しながらも、上記長辺面部１２４の製造を簡単にする利点を有することができるようになる。
【０１０８】
そして、上記長辺面部１２４は、第１長辺面１２４ａ及び第２長辺面１２４ｂが直線的に提供されながらも、凹に陥没した形で提供されるため、上述した凹曲面状の長辺面部１２４と同様に、上記ソーラーセル２００の電気エネルギー生産効率を高めるようになる。
【０１０９】
ここで、本発明の一実施形態によるパターンガラス１００の上記短辺面部１２５は、全体が曲面状に備えられることを特徴とすることができる。すなわち、ここでも上記短辺面部１２５は、凸曲面状で提供されるものである。したがって、上記短辺面部１２５により観察者Ｅが観察する光の均一度が向上する効果は同一である。
【０１１０】
一方、図１１を参照した実施例について説明すると、本発明の一実施例によるパターンガラス１００の上記短辺面部１２５は、上記第２長辺面１２４ｂと連結され、上記連結面部１２３に水平な直線状に備えられる第１短辺面１２５ａと、上記第１短辺面１２５ａと連結され、凸曲面状に備えられる第２短辺面１２５ｂと、上記第２短辺面１２５ｂと上記連結面部１２３との間を連結する直線状に備えられ、上記連結面部１２３となす外角が鈍角を形成する第３短辺面１２５ｃと、を含むことができる。
【０１１１】
換言すると、上記長辺面部１２４が第１長辺面１２４ａ及び第２長辺面１２４ｂを含む直線で構成された凹面陥没の形で提供され、先に説明した凹曲面状の長辺面部１２４と同様に、上記ソーラーセル２００の電気エネルギーの生産効率を高めるという効果を確保するとともに、その製造が簡単な利点を確保しながらも、上記短辺面部１２５の製造も簡単に限定するものである。
【０１１２】
かかる短辺面部１２５の変形実施例による透過領域及び反射領域の確保の効果は、図１２から確認することができる。
【０１１３】
先ず、上記長辺面部１２４によって基準線の上方約４０度以上から流入する光源の放出光を透過させることにより、透過率が低下するという問題を防止するようになる（図１２（ａ）参照）。また、上記長辺面部１２４は、基準線の下方からの視線光に対しては反射率を増加させる役割を果たすようになる（図１２（ｃ）参照）。
【０１１４】
そして、上記短辺面部１２５の第１短辺面１２５ａは、基準線の下方からの視線光に対する反射率を増加させる役割を果たすようになる。すなわち、流入した視線光のうち第３短辺面１２５ｃから反射された視線光が再び上記第１短辺面１２５ａから反射されて観察者の眼に流入されることにより、反射率を増加させるものである（図１２（ｄ）参照）。
【０１１５】
上記短辺面部１２５の第２短辺面１２５ｂは、上記長辺面部１２４から反射された光を分散させることにより、均一度を向上させる役割を果たすようになる（図１２（ｃ）参照）。
【０１１６】
上記短辺面部１２５の第３短辺面１２５ｃは、上記連結面部１２３となす外角が鈍角または直角を形成する形であって、一例として上記連結面部１２３となす外角が約９３．５度であることができる（内角の場合には約８６．５度）。
【０１１７】
かかる第３短辺面１２５ｃは、基準線の下方から流入する視線光を大部分反射することにより、観察者に到達した視線光の反射率を増加させる役割を果たすようになる（図１２（ｄ）参照）。
【０１１８】
図５及び図６は本発明のパターンガラス１００がカラー部１３０を含む実施例を示す断面図であって、これを参照すると、本発明の一実施例によるパターンガラス１００は、上記パターン部１２０に備えられ、光の透過波長を調整するように提供されるカラー部１３０を含むことができる。
【０１１９】
ここで、図５は上記カラー部１３０がパターン部１２０及びベース板部１１０に備えられる実施例を示すものであり、図６は上記カラー部１３０がパターン部１２０の一面上に備えられた実施例を示すものである。
【０１２０】
このように、本発明のパターンガラス１００は、上記カラー部１３０を含むことにより、観察者Ｅが観察する場合に色彩を含んで観察できるように備えるようになる。
【０１２１】
一般には、本発明の一実施形態によるパターンガラス１００において、上記カラー部１３０は、上記ベース板部１１０と上記パターン部１２０の間に備えられることを特徴とすることができる。
【０１２２】
換言すると、パターンガラス１００全体に対して色彩を付与し、基準線ＣＬの下方から観察する観察者Ｅが、色彩が付加されている状態で観察できるように備えられるものである。
【０１２３】
但し、上記カラー部がパターンガラス１００の全体に備えられると、ソーラーセル２００などに伝達される光源Ｓからの放出光も、特定の波長のみを通過させるため、上記ソーラーセル２００による電気エネルギーの生産効率が低下する可能性がある。
【０１２４】
したがって、本発明では、上記カラー部１３０を観察者Ｅが観察する反射領域のみに付与し、ソーラーセル２００などに放出光を伝達する透過領域には影響を及ぼさないように構成することができる。
【０１２５】
すなわち、本発明の一実施形態によるパターンガラス１００において、上記カラー部１３０は、上記パターン部１２０において反射領域を形成する上記パターン部１２０のテーパー付けられた面のみに備えられることを特徴とすることができる。
【０１２６】
換言すると、上記カラー部１３０は上記反射領域を形成する一面上にのみ付与されて、ソーラーセル２００に伝達される放出光の透過領域には影響を及ぼさないように構成される。
【０１２７】
一例として、上述した短辺面部１２５にのみカラー部１３０が付与され、長辺面部１２４にはカラー部１３０が付与されないため、観察者Ｅには色彩を付与し、ソーラーセル２００に伝達される放出光は透過波長が制限されないように構成することができる。
【０１２８】
以上、本発明の実施形態について詳細に説明したが、本発明の権利範囲はこれに限定されず、特許請求の範囲に記載された本発明の技術的思想から逸脱しない範囲内で多様な修正及び変形が可能であるということは、当技術分野の通常の知識を有する者には明らかである。
【図１（ａ）】
2020531896.tif 000003
【図１（ｂ）】
2020531896.tif 000004
【図２】
2020531896.tif 000005
【図３（ａ）】
2020531896.tif 000006
【図３（ｂ）】
2020531896.tif 000007
【図４（ａ）】
2020531896.tif 000008
【図４（ｂ）】
2020531896.tif 000009
【図５】
2020531896.tif 000010
【図６】
2020531896.tif 000011
【図７】
2020531896.tif 000012
【図８】
2020531896.tif 000013
【図９（ａ）】
2020531896.tif 000014
【図９（ｂ）】
2020531896.tif 000015
【図１０】
2020531896.tif 000016
【図１１】
2020531896.tif 000017
【図１２（ａ）】
2020531896.tif 000018
【図１２（ｂ）】
2020531896.tif 000019
【図１２（ｃ）】
2020531896.tif 000020
【図１２（ｄ）】
2020531896.tif 000021
【図１３】
2020531896.tif 000022
【国際調査報告】
2020531896.tif 000023
2020531896.tif 000024
2020531896.tif 000025
2020531896.tif 000026